(57)【要約】 【課題】  移動局に対するコンテンツの提供を、移動局の移動速度に基づいて適切に制御すること。【解決手段】  移動速度検出装置３４は、広告配信サーバ１０から依頼された各携帯電話機６０の移動速度を、当該各携帯電話機６０の在圏する無線セルが変更された場合に検出する。広告配信サーバ１０は、移動速度検出装置３４から通知された検出結果に基づいて、例えば、時速１５ｋｍを超える速度で移動中であると判定した携帯電話機６０に対して、当該携帯電話機６０の現在位置に応じた広告情報を配信する。【選択図】      図１
2005151224.tif 000002
【特許請求の範囲】
【請求項１】
コンテンツを記憶する記憶手段と、
予め定められた閾値を超える速度で移動している移動局を検出する検出手段と、
前記検出手段により検出された移動局に対して前記記憶手段に記憶されているコンテンツを送信する送信手段と
を有することを特徴とするコンテンツ送信装置。
【請求項２】
移動局が在圏していた無線セルにおける前記移動局の滞在時間を計時する計時手段と、
前記無線セルの大きさを特定する特定手段と、
前記計時手段により計時された滞在時間と、前記特定手段により特定された無線セルの大きさとに基づいて、前記移動局の移動速度を算出する算出手段とをさらに有し、
前記検出手段は、前記算出手段により算出された移動速度と、予め定められた移動速度の閾値とを比較して、前記閾値を超える速度で移動している移動局を検出する
ことを特徴とする請求項１に記載のコンテンツ送信装置。
【請求項３】
前記検出手段は、予め定められた閾値を超える速度で移動している移動局であって、かつ車両に搭載された車載装置に接続されている移動局を検出する
ことを特徴とする請求項１に記載のコンテンツ送信装置。
【請求項４】
前記検出手段により検出された移動局の位置を取得する取得手段をさらに有し、
前記記憶手段は、送信エリアと対応付けられたコンテンツを複数記憶しており、
前記送信手段は、前記記憶手段に記憶されている各コンテンツのうち、当該コンテンツに対応付けられた送信エリア内に前記取得手段により取得された移動局の位置が含まれるコンテンツを読み出して前記移動局へ送信する
ことを特徴とする請求項１に記載のコンテンツ送信装置。
【請求項５】
前記検出手段により検出された移動局の位置を取得する取得手段をさらに有し、
前記記憶手段は、位置と対応付けられたコンテンツを複数記憶しており、
前記送信手段は、前記記憶手段に記憶されている各コンテンツのうち、当該コンテンツに対応付けられた位置と前記取得手段により取得された移動局の位置との距離が予め定められた閾値以下となるコンテンツを前記記憶手段から読み出して前記移動局へ送信する
ことを特徴とする請求項１に記載のコンテンツ送信装置。
【請求項６】
移動速度の範囲を示す情報と対応付けられたコンテンツを複数記憶する記憶手段と、
移動局の移動速度を検出する検出手段と、
前記記憶手段に記憶されている各コンテンツのうち、当該コンテンツに対応付けられた移動速度の範囲内に前記検出手段により検出された移動速度が含まれるコンテンツを読み出して前記移動局へ送信する送信手段と
を有することを特徴とするコンテンツ送信装置。
【請求項７】
検出装置とコンテンツ送信装置とを有し、
前記検出装置は、
予め定められた閾値を超える速度で移動している移動局を検出する検出手段と、
前記検出手段により検出された移動局を一意に特定し得る移動局特定情報を前記コンテンツ送信装置に通知する通知手段とを有し、
前記コンテンツ送信装置は、
コンテンツを記憶する記憶手段と、
前記通知手段により通知された移動局特定情報を受信する受信手段と、
前記受信手段により受信された移動局特定情報により特定される移動局に対して、前記記憶手段に記憶されているコンテンツを送信する送信手段とを有する
ことを特徴とする通信システム。
【請求項８】
検出装置とコンテンツ送信装置とを有し、
前記検出装置は、
移動局の移動速度を検出する検出手段と、
前記検出手段により検出された移動速度と、前記移動局を一意に特定し得る移動局特定情報とを前記コンテンツ送信装置に通知する通知手段とを有し、
前記コンテンツ送信装置は、
移動速度の範囲を示す情報と対応付けられたコンテンツを複数記憶する記憶手段と、
前記通知手段により通知された移動速度および移動局特定情報を受信する受信手段と、
前記記憶手段に記憶されている各コンテンツのうち、当該コンテンツに対応付けられた移動速度の範囲内に前記受信手段により受信された移動速度が含まれるコンテンツを読み出して、当該コンテンツを前記受信手段により受信された移動局特定情報により特定される移動局へ送信する送信手段とを有する
ことを特徴とする通信システム。
【発明の詳細な説明】
【技術分野】
【０００１】
本発明は、移動局に対してコンテンツを提供するための技術に関する。
【背景技術】
【０００２】
車内に持ち込まれた携帯電話機や、車両に搭載されたカーナビゲーション装置等の、車両とともに移動する移動局に対して、車両（移動局）の現在位置に応じた広告情報を提供する技術がある（特許文献１〜３参照）。
【０００３】
【特許文献１】特開２００２−０４１９５４号公報
【特許文献２】特開２００２−２８８５１８号公報
【特許文献３】特開２００３−０９９６７０号公報
【発明の開示】
【発明が解決しようとする課題】
【０００４】
ところで、特許文献１〜３には、車両とともに移動する移動局に対して移動局の現在位置に応じた広告情報を提供することが記載されているものの、例えば、車内に持ち込まれ、車両とともに移動している携帯電話機と、歩行中のユーザが所持している携帯電話機とをいかにして区別するのかについては何ら述べられていない。したがって、例えば、ガソリンスタンドやドライブインに関する広告情報が、ガソリンスタンドやドライブインの付近を歩行しているユーザの所持する携帯電話機にも提供されてしまう可能性がある。
【０００５】
この場合、歩行中のユーザにとっては、付近にあるガソリンスタンドやドライブインに関する広告情報が自身の所持する携帯電話機に提供されたとしても、このような広告情報は現在の自分にとって何ら必要のない情報である可能性が高く、煩わしさを感じるという問題があった。また、広告提供者にとっても、このような煩わしさをユーザに感じさせることは、自社の広告や宣伝を行う上で好ましいことではないし、加えて、上述したようなガソリンスタンドやドライブインに関する広告情報を歩行中のユーザに対して提供しても、広告情報を提供したことに伴なう来店率の向上等、広告情報の効果がそれほど期待できる訳でもない。
【０００６】
さらに、このように広告情報の送り手および受け手の双方にとってそれほど利益のない広告情報を送信することは、通信網におけるトラフィックを不必要に増加させてしまうという問題を含んでいた。
【０００７】
本発明は、以上説明した事情に鑑みてなされたものであり、その目的は、移動局に対するコンテンツの提供を、移動局の移動速度に基づいて適切に制御することである。
【課題を解決するための手段】
【０００８】
上記課題を解決するために、本発明は、コンテンツを記憶する記憶手段と、
予め定められた閾値を超える速度で移動している移動局を検出する検出手段と、
前記検出手段により検出された移動局に対して前記記憶手段に記憶されているコンテンツを送信する送信手段と
を有することを特徴とするコンテンツ送信装置を提供する。
【０００９】
また、本発明は、検出装置とコンテンツ送信装置とを有し、
前記検出装置は、
予め定められた閾値を超える速度で移動している移動局を検出する検出手段と、
前記検出手段により検出された移動局を一意に特定し得る移動局特定情報を前記コンテンツ送信装置に通知する通知手段とを有し、
前記コンテンツ送信装置は、
コンテンツを記憶する記憶手段と、
前記通知手段により通知された移動局特定情報を受信する受信手段と、
前記受信手段により受信された移動局特定情報により特定される移動局に対して、前記記憶手段に記憶されているコンテンツを送信する送信手段とを有する
ことを特徴とする通信システムを提供する。
【００１０】
本発明によれば、コンテンツ送信装置は、予め定められた閾値を超える速度で移動している移動局に対してのみ、コンテンツを送信する。
【００１１】
また、本発明は、移動速度の範囲を示す情報と対応付けられたコンテンツを複数記憶する記憶手段と、
移動局の移動速度を検出する検出手段と、
前記記憶手段に記憶されている各コンテンツのうち、当該コンテンツに対応付けられた移動速度の範囲内に前記検出手段により検出された移動速度が含まれるコンテンツを読み出して前記移動局へ送信する送信手段と
を有することを特徴とするコンテンツ送信装置を提供する。
【００１２】
また、本発明は、検出装置とコンテンツ送信装置とを有し、
前記検出装置は、
移動局の移動速度を検出する検出手段と、
前記検出手段により検出された移動速度と、前記移動局を一意に特定し得る移動局特定情報とを前記コンテンツ送信装置に通知する通知手段とを有し、
前記コンテンツ送信装置は、
移動速度の範囲を示す情報と対応付けられたコンテンツを複数記憶する記憶手段と、
前記通知手段により通知された移動速度および移動局特定情報を受信する受信手段と、
前記記憶手段に記憶されている各コンテンツのうち、当該コンテンツに対応付けられた移動速度の範囲内に前記受信手段により受信された移動速度が含まれるコンテンツを読み出して、当該コンテンツを前記受信手段により受信された移動局特定情報により特定される移動局へ送信する送信手段とを有する
ことを特徴とする通信システムを提供する。
【００１３】
本発明によれば、コンテンツ送信装置は、移動局に対して当該移動局の移動速度に応じたコンテンツを送信する。
【発明の効果】
【００１４】
本発明によれば、移動局に対するコンテンツの提供を、移動局の移動速度に基づいて適切に制御することができるようになる。
【発明を実施するための最良の形態】
【００１５】
以下、図面を参照して本発明の実施形態について説明する。なお、各図において共通する部分には、同一の符号が付されている。
［Ａ−１．実施形態の構成］
＜１．通信システム１の構成＞
図１は、本発明の実施形態に係る通信システム１の構成を例示するブロック図である。同図において、広告配信サーバ１０は、インターネット２０および移動パケット通信網３０を介して携帯電話機６０とパケット通信を行う機能を有している。この広告配信サーバ１０には、携帯電話機６０に提供する広告情報として、自動車（車両４０）に搭乗しているユーザに対し、例えば、ガソリンスタンドやドライブイン等の店舗等に関する広告や宣伝を行うための電子メールや画像データ（動画を含む）、音声データ等が記憶されている。なお、広告情報は、例えば、画像データや音声データをＪＡＲ（Java(登録商標) ARchive）ファイル内に格納したJavaアプレット等のソフトウェアであってもよい。
【００１６】
移動パケット通信網３０は、ゲートウェイサーバ３１と、図示を省略した交換局等により構成されるコアネットワーク３２と、基地局３３と、移動速度検出装置３４と、サービス制御局３５とを有している。ゲートウェイサーバ３１は、移動パケット通信網３０用の通信プロトコルとインターネット２０用の通信プロトコル等、通信プロトコルの異なるデータを相互に変換し、移動パケット通信網３０とインターネット２０とのデータの授受を中継する。また、基地局３３は、移動パケット通信網３０の通信サービスエリア内に多数設置されており、自局３３がカバーする無線セルに在圏している携帯電話機６０と無線通信を行う。
【００１７】
移動速度検出装置３４は、移動パケット通信網３０に収容される各携帯電話機６０の移動速度を検出することが可能であり、検出した移動速度に関する情報と、移動速度の検出対象となった携帯電話機６０を一意に特定し得る移動局特定情報とを広告配信サーバ１０へ送信する。なお、移動局特定情報としては、例えば、携帯電話機６０に対して割り当てられているメールアドレスや電話番号、あるいは携帯電話機６０に対して付与されている製造番号や端末ＩＤ等を使用することが可能であるが、以下、本実施形態においては、移動局特定情報としてメールアドレスを用いるものとする。
【００１８】
サービス制御局３５は、ホームロケーションレジスタ（以下「ＨＬＲ」と略称する）３５ａを有している。このＨＬＲ３５ａには、図２に示すように、移動パケット通信網３０に収容される各携帯電話機６０毎に、携帯電話機６０のメールアドレス（移動局特定情報）と、携帯電話機６０を配下に収容している交換局に対して割り当てられている交換局ＩＤと、携帯電話機６０が現在在圏している無線セルに対して割り当てられている無線セルＩＤ（基地局ＩＤ）とが登録されている。
【００１９】
車両４０は、カーナビゲーション装置５０が搭載された自動車である。また、カーナビゲーション装置５０は、図示を省略したＧＰＳ（Global Positioning System）受信機を備え、ＧＰＳ受信機によって取得された、緯度、経度および高度からなる自装置５０の位置情報を携帯電話機６０へ送信する。なお、本実施形態において携帯電話機６０は、カーナビゲーション装置５０から得た位置情報のうち、緯度と経度とからなる緯度経度情報を自機６０の位置情報として利用するものとする。
【００２０】
携帯電話機６０は、移動パケット通信網３０に収容される移動局である。この携帯電話機６０は、自機６０が在圏している無線セルをカバーする基地局３３を介して広告配信サーバ１０とパケット通信を行い、広告配信サーバ１０から受信した広告情報に基づく画像を自機６０の液晶画面に表示したり、当該広告情報に基づく音声を自機６０に備わるスピーカから出力する。
【００２１】
なお、本実施形態では、広告情報に基づく画像や音声を携帯電話機６０から出力する場合について説明するが、勿論、広告情報に基づく画像や音声をカーナビゲーション装置５０から出力するようにしてもよい。この場合、携帯電話機６０は、広告配信サーバ１０から受信した広告情報をカーナビゲーション装置５０へ転送し、カーナビゲーション装置５０は、受信した広告情報に基づく画像を当該装置５０に接続されている液晶ディスプレイに表示するとともに、広告情報に基づく音声を車載スピーカから出力する。
【００２２】
＜２．広告配信サーバ１０の構成＞
図３は、広告配信サーバ１０のハードウェア構成を例示するブロック図である。なお、本実施形態において、広告配信サーバ１０が携帯電話機６０へ配信する広告情報の通信料金は、広告情報の提供元（広告提供者）が負担するようになっている。
【００２３】
同図において、ＣＰＵ１０１は、ＲＯＭ１０２やハードディスク（図示省略）に記憶されている各種のプログラムを実行することによって広告配信サーバ１０の各部を制御する。また、ＲＯＭ１０２には、広告配信サーバ１０の各部の基本制御を司るプログラム等が記憶されている。ＲＡＭ１０３は、ＣＰＵ１０１のワークエリアとして用いられる。通信インタフェース１０４は、ＣＰＵ１０１の制御の下、携帯電話機６０や移動速度検出装置３４との間で行われる通信を制御する。
【００２４】
会員登録ＤＢ（Data Base）１０５には、図４に示すように、広告情報の提供を受けるために会員登録された各会員毎に、会員ＩＤと、氏名、年齢、性別、職業、趣味等の項目データによって構成される会員情報と、会員が所持する携帯電話機６０のメールアドレスとが登録される。また、この会員登録ＤＢ１０５には、各会員が所持する携帯電話機６０について、高速移動中であるか否かを示す高速移動フラグの値と、携帯電話機６０の現在位置を示す位置情報とが記憶される。
【００２５】
なお、高速移動フラグの値が“１”の場合は、携帯電話機６０が高速移動中であることを示し、高速移動フラグの値が“０”の場合は、携帯電話機６０が高速移動中でないことを示している。また、詳細については後述するが、本実施形態において携帯電話機６０が高速移動中である場合とは、携帯電話機６０が時速１５ｋｍを超える速度で移動している場合を指すものとする。
【００２６】
課金先管理ＤＢ１０６には、図５に示すように、広告情報蓄積装置１０７に蓄積された広告情報に対して割り当てられている広告情報ＩＤ毎に、この広告情報の通信料金を負担する広告提供者を移動パケット通信網３０において識別するための課金先識別情報が記憶されている。この課金先識別情報は、例えば、移動パケット通信網３０の運営事業者が各広告提供者に対して事前に割り当てた顧客管理番号である。
【００２７】
広告情報蓄積装置１０７には、図６に示すように、広告情報ＩＤ毎に、広告情報と、この広告情報を配信するエリアを示した配信エリア情報とが記憶されている。例えば、配信エリアの形状が多角形の場合には、各頂点に相当する地点の緯度経度情報が配信エリア情報として広告情報と対応付けられて広告情報蓄積装置１０７に記憶されている。また、配信エリアの形状が円形の場合には、中心点に相当する地点の緯度経度情報と、半径や直径を示す距離の情報とが、配信エリア情報として広告情報と対応付けられて記憶されている。
【００２８】
＜３．移動速度検出装置３４の構成＞
図７は、移動速度検出装置３４のハードウェア構成を例示するブロック図である。同図において、ＣＰＵ３０１は、ＲＯＭ３０２やハードディスク（図示省略）に記憶されている各種のプログラムを実行することにより移動速度検出装置３４の各部を制御する。また、ＣＰＵ３０１は、現在時刻（年月日時分秒）を計時する機能を有している。ＲＯＭ３０２には、移動速度検出装置３４の各部の基本制御を司るプログラム等が記憶されている。また、ＲＡＭ３０３は、ＣＰＵ３０１のワークエリアとして用いられる。通信インタフェース３０４は、ＣＰＵ３０１の制御の下、ＨＬＲ３５ａや広告配信サーバ１０との間で行われる通信を制御する。
【００２９】
無線セルＤＢ３０５には、図８に示すように、移動パケット通信網３０の通信サービスエリアを構成する各無線セル毎に、無線セルＩＤと、この無線セルのサイズを示す情報とが記憶されている。なお、本実施形態では、無線セルのサイズを示す情報として、無線セルの直径を示す距離の値が記憶されている。
【００３０】
移動速度ＤＢ３０６には、図９に示すように、広告配信サーバ１０から移動速度の検出を依頼された各携帯電話機６０毎に、メールアドレスと、携帯電話機６０が前回在圏していた無線セルのＩＤ（在圏セルＩＤ［前回］）と、前回在圏していた無線セルに携帯電話機６０が移行してきた時刻を示すセル移行時刻［前回］と、前回在圏していた無線セルにおける携帯電話機６０の移動速度［前回分］と、前々回在圏していた無線セルにおける携帯電話機６０の移動速度［前々回分］と、移動速度［前回分］および移動速度［前々回分］に基づいて定められる高速移動フラグの値とが記憶される。
【００３１】
［Ａ−２．実施形態の動作］
まず、以下の動作説明の前提として、広告情報の提供を希望するユーザは、事前に会員登録を行っており、広告配信サーバ１０の会員登録ＤＢ１０５（図４参照）には、会員登録がなされたユーザについて、会員情報およびユーザの所持する携帯電話機６０のメールアドレスが登録されているものとする。
【００３２】
また、広告配信サーバ１０は、新たな会員の情報が会員登録ＤＢ１０５に追加登録されると、追加登録された会員の所持する携帯電話機６０について、移動速度の検出を依頼する通知を、広告配信サーバ１０の通信アドレスとともに移動速度検出装置３４へ送信する。これにより移動速度検出装置３４では、広告配信サーバ１０から依頼された各携帯電話機６０についての移動速度を検出するとともに、その検出結果を広告配信サーバ１０へ送信することが可能となる。
【００３３】
また、携帯電話機６０は、車両４０内に持ち込まれ、通信ケーブルによりカーナビゲーション装置５０に接続されているものとする。さらに、ＨＬＲ３５ａには、移動パケット通信網３０に収容される各携帯電話機６０毎に、携帯電話機６０の在圏している無線セルのＩＤ（無線セルＩＤ）や交換局ＩＤが位置登録処理によって適宜登録されるものとする。
【００３４】
図１０は、通信システム１の各部の動作を例示するシーケンスチャートである。同図に示すように、移動速度検出装置３４は、広告配信サーバ１０から移動速度の検出を依頼された各携帯電話機６０について、ＨＬＲ３５ａに記憶されている無線セルＩＤを監視し、ハンドオーバ等、在圏する無線セルが変更されたか否かを判別している（ステップＳ１０１）。移動速度検出装置３４は、移動速度の検出を依頼された各携帯電話機６０のうち、いずれか１の携帯電話機６０の在圏する無線セルが変更された場合に（ステップＳ１０１：ＹＥＳ）、この携帯電話機６０について移動速度を検出する処理を行なう（ステップＳ１０２）。
【００３５】
なお、以下の動作説明では、移動速度が検出され、当該検出結果に応じて広告配信サーバ１０から広告情報が配信される携帯電話機６０を、便宜上、「対象移動局６０」と記載する。
【００３６】
ステップＳ１０２において移動速度検出装置３４は、まず、現在時刻を取得し、当該現在時刻を、対象移動局６０が新たな無線セルに移行した時刻（セル移行時刻［今回］）とする。次いで、移動速度検出装置３４は、対象移動局６０について、移動速度ＤＢ３０６（図９参照）から在圏セルＩＤ［前回］およびセル移行時刻［前回］を読み出す。そして、移動速度検出装置３４は、下式（１）を用いて、前回在圏していた無線セルにおける対象移動局６０の滞在時間を求める。
滞在時間＝セル移行時刻［今回］−セル移行時刻［前回］  …式（１）
【００３７】
次いで、移動速度検出装置３４は、在圏セルＩＤ［前回］によって特定される無線セルのセルサイズを無線セルＤＢ３０５（図８参照）から読み出し、下式（２）を用いて、前回在圏していた無線セルにおける対象移動局６０の移動速度［前回分］を求める。
移動速度［前回分］＝セルサイズ（直径）÷滞在時間  …式（２）
【００３８】
この後、移動速度検出装置３４は、対象移動局６０について、移動速度［前回分］と同様の手法によって算出し、移動速度ＤＢ３０６に記憶してある移動速度［前々回分］を読み出す。次いで、移動速度検出装置３４は、移動速度［前回分］および移動速度［前々回分］がともに時速１５ｋｍを超えていた場合に、対象移動局６０が高速移動中であると判定する。そして、移動速度検出装置３４は、移動速度ＤＢ３０６において対象移動局６０の高速移動フラグの値を“１”にセットする等、移動速度ＤＢ３０６のデータを更新する（ステップＳ１０３）。一方、移動速度検出装置３４は、移動速度［前回分］または移動速度［前々回分］が時速１５ｋｍ以下であった場合は、対象移動局６０が高速移動中でないと判定し、移動速度ＤＢ３０６において対象移動局６０の高速移動フラグの値を“０”にセットする。
【００３９】
以上のような手法を用いて対象移動局６０が高速移動中であるか否かを判別することにより、対象移動局６０がまさに現時点において時速１５ｋｍを超える速度で移動していなくても、２つの無線セルを跨いで移動した平均速度が時速１５ｋｍを超えていれば高速移動中であると判定することができる。したがって、例えば、車両４０が信号待ちで一時停車している場合等であっても、２つの無線セルを跨いで移動した平均速度が時速１５ｋｍを超えていれば、高速移動中であると判定することができる。勿論、対象移動局６０を所持するユーザが歩行中の場合は、高速移動中ではないと判定される。
【００４０】
なお、高速移動中であるか否かを判定するための閾値は、時速１５ｋｍという値に限定されず、任意の値に変更することが可能である。また、本実施形態では、例えば、対象移動局６０が新たな無線セルに移行した直後に前回在圏していた無線セルに引き返した場合等に、対象移動局６０が高速移動中であると移動速度検出装置３４が判定してしまうようなことを防ぐために、過去２回分の移動速度を用いて高速移動中であるか否かを判定するようにしている。しかしながら、移動速度検出装置３４は、移動速度［前回分］のみを用いて対象移動局６０が高速移動中であるか否かを判定するようにしてもよいし、あるいは過去３回分の移動速度を用いて対象移動局６０が高速移動中であるか否かを判定するようにしてもよい。
【００４１】
移動速度検出装置３４は、移動速度ＤＢ３０６の更新を終えると、対象移動局６０について、高速移動フラグの値およびメールアドレス（移動局特定情報）を広告配信サーバ１０へ送信する（ステップＳ１０４）。
【００４２】
広告配信サーバ１０は、移動速度検出装置３４から高速移動フラグの値およびメールアドレスを受信すると、会員登録ＤＢ１０５において対象移動局６０の高速移動フラグの値を更新する（ステップＳ１０５）。また、広告配信サーバ１０は、対象移動局６０の高速移動フラグの値が“１”である場合（ステップＳ１０６：ＹＥＳ）、すなわち対象移動局６０が高速移動中である場合に、対象移動局６０に対して位置取得要求メッセージを送信する（ステップＳ１０７）。
【００４３】
この位置取得要求メッセージは、対象移動局６０を介してカーナビゲーション装置５０へと転送され（ステップＳ１０８）、カーナビゲーション装置５０は、ＧＰＳ受信機（図示省略）を用いて位置情報を取得し（ステップＳ１０９）、当該位置情報を対象移動局６０へ送信する（ステップＳ１１０）。対象移動局６０は、カーナビゲーション装置５０から得た位置情報のうち、緯度と経度とからなる緯度経度情報を自機６０の位置情報として、自機６０のメールアドレス（移動局特定情報）とともに広告配信サーバ１０へ送信する（ステップＳ１１１）。広告配信サーバ１０は、対象移動局６０から位置情報およびメールアドレスを受信すると、会員登録ＤＢ１０５において対象移動局６０の位置情報を更新する（ステップＳ１１２）。
【００４４】
なお、上記ステップＳ１０７において広告配信サーバ１０は、移動パケット通信網３０内に設けられている位置検索サーバ（図示省略）に対して対象移動局６０の現在位置を問い合わせるようにしてもよい。この場合は、位置検索サーバが、対象移動局６０の現在位置を測位し、測位の結果得られた位置情報を広告配信サーバ１０へと通知する。この位置検索サーバは、例えば、以下に記載する（方法１）〜（方法３）により対象移動局６０の位置情報を取得する。
【００４５】
（方法１）
対象移動局６０がＧＰＳ受信機を内蔵している場合や、対象移動局６０がＧＰＳ受信機に接続されている場合に、対象移動局６０に対してＧＰＳ受信機を用いた測位処理の実行および測位結果の位置検索サーバへの送信を指示する。
【００４６】
（方法２）
サービス制御局３５と通信を行い、対象移動局６０と対応付けられてＨＬＲ３５ａに登録されている無線セルＩＤを取得し、当該無線セルＩＤ（基地局ＩＤ）により特定される基地局３３の設置位置を示す緯度経度情報を対象移動局６０の位置情報とする。
【００４７】
（方法３）
携帯電話機６０は、ハンドオーバ等に備え、自機６０が在圏している無線セルをカバーする基地局３３に加え、付近の基地局３３から送信された電波の受信強度を測定している。そこで、位置検索サーバは、対象移動局６０と通信を行い、この対象移動局６０が測定した３ヶ所以上の基地局３３についての電波受信強度を示す情報を取得し、当該情報と、各基地局３３の設置位置を示す緯度経度情報とに基づいて、対象移動局６０の位置を求める。
【００４８】
また、携帯電話機６０が車両４０内に持ち込まれ、カーナビゲーション装置５０に接続されると、カーナビゲーション装置５０内のＧＰＳ受信機により取得された位置情報が携帯電話機６０を介して広告配信サーバ１０へ定期的に送信され、これにより会員登録ＤＢ１０５における各携帯電話機６０の位置情報が定期的に更新されるようにしてもよい。
【００４９】
さて、広告配信サーバ１０は、会員登録ＤＢ１０５において対象移動局６０の位置情報を更新すると、当該位置情報によって示される対象移動局６０の現在位置を配信エリアに含む広告情報を広告情報蓄積装置１０７（図６参照）から読み出す（ステップＳ１１３）。なお、対象移動局６０の現在位置に応じた広告情報を広告情報蓄積装置１０７から読み出す際、広告配信サーバ１０は、対象移動局６０の会員情報として会員登録ＤＢ１０５に登録されている年齢、性別、職業、趣味等の情報を用いて広告情報のフィルタリングを行う構成であってもよい。
【００５０】
次いで、広告配信サーバ１０は、広告情報蓄積装置１０７から読み出した広告情報を対象移動局６０へ送信する（ステップＳ１１４）。この際、広告配信サーバ１０は、対象移動局６０へ送信する広告情報の課金先識別情報を課金先管理ＤＢ１０６（図５参照）から読み出し、当該課金先識別情報を、この広告情報を送信するための各パケットのヘッダに格納する。
【００５１】
対象移動局６０は、広告配信サーバ１０から広告情報を受信すると、当該広告情報に基づく画像を自機６０の液晶画面に表示したり、当該広告情報に基づく音声を自機６０に備わるスピーカから出力する（ステップＳ１１５）。これにより、車両４０に搭乗してドライブ中のユーザに対して、例えば、付近のガソリンスタンドやドライブインに関する広告情報が提供される。
【００５２】
また、移動パケット通信網３０では、広告情報の転送に際し、各パケットのヘッダに格納されている課金先識別情報に基づいて、当該各パケットの転送に伴なう通信料金の課金先を決定する。したがって、広告配信サーバ１０から対象移動局６０へ配信される広告情報の通信料金は、課金先識別情報によって特定される広告提供者に課金されることになる。
【００５３】
以上説明したように本実施形態によれば、移動速度検出装置３４は、広告配信サーバ１０から依頼された各携帯電話機６０の移動速度を、当該各携帯電話機６０の在圏する無線セルが変更された場合に検出する。そして、広告配信サーバ１０は、移動速度検出装置３４から通知された検出結果に基づいて高速移動中であると判定した携帯電話機６０に対して、当該携帯電話機６０の現在位置に応じた広告情報を配信する。
【００５４】
したがって、広告配信サーバ１０は、高速移動中、すなわち時速１５ｋｍを超える速度で移動している携帯電話機６０に対してのみ、ガソリンスタンドやドライブイン等に関する広告情報を配信することができる。よって、このような広告情報を歩行中のユーザが所持する携帯電話機６０へ配信してしまい、歩行中のユーザに対して煩わしさを感じさせるようなことがなく、また、移動パケット通信網３０におけるトラフィックを不必要に増加させてしまうようなこともない。
【００５５】
また、本実施形態において説明したように、携帯電話機６０へ配信される広告情報の通信料金が広告提供者の負担となる場合、広告提供者は、各携帯電話機６０に提供した分だけ広告情報の通信料金を負担しなければならないため、広告情報を提供したことに伴なう来店率の向上等、広告情報の効果が期待できる携帯電話機６０のみに広告情報を提供したいという要望がある。例えば、ガソリンスタンドやドライブイン等の運営者が広告提供者である場合、広告提供者は、付近を走行中の車両４０内に持ち込まれた携帯電話機６０に対しては広告情報の配信を要望するであろうが、付近を歩行中のユーザが所持する携帯電話機６０に対しては、広告情報の効果がそれほど期待できず、また、広告情報の通信料金を負担しなければならないため、広告情報の配信を望まないであろう。
【００５６】
前述した特許文献１〜３に記載された技術では、広告情報の効果が期待できるターゲット以外の移動局に対しても広告情報が提供されてしまい、上述したような広告提供者の要望に答えることができず、広告提供者に対して不必要な通信料金の負担を強いるおそれがあった。これに対して本実施形態によれば、広告配信サーバ１０は、時速１５ｋｍを超える速度で移動している携帯電話機６０に対してのみ広告情報を配信する。よって、広告情報の効果が期待できる携帯電話機６０のみに広告情報を配信することができるので、広告提供者に対して不必要な通信料金の負担を強いることがない。
【００５７】
なお、広告配信サーバ１０（コンピュータ装置）は、ＲＯＭ１０２あるいはハードディスク（図示省略）に記憶されているプログラムに従って、図１０のシーケンスチャートにおける広告配信サーバ１０に係る処理を実行するが、このような本発明に係る処理を司るプログラムを通信によって広告配信サーバ１０に提供するようにしてもよい。また、このようなプログラムを記録媒体に記録して提供するようにしてもよい。
【００５８】
［Ｂ．変形例］
以上、本発明の実施形態について説明したが、上述した実施形態は本発明の一態様を例示したものに過ぎず、例えば、以下に示すような変形例が考えられる。
【００５９】
＜変形例１＞
上述した実施形態において、携帯電話機６０がカーナビゲーション装置５０に接続されると、携帯電話機６０から広告配信サーバ１０へ、携帯電話機６０がカーナビゲーション装置５０に接続されたことを示すカーナビ接続情報を通知し、広告配信サーバ１０では、高速移動フラグの値と、カーナビ接続情報とに基づいて、携帯電話機６０が車両４０（自動車）の移動に伴なう高速移動中であるか否かを判定するようにしてもよい。このような構成とすれば、広告配信サーバ１０は、高速移動の要因が自動車の移動であり、会員が自動車に乗って移動していることを検出できる。よって、同じ高速移動中の場合であっても、会員が電車に乗って移動している場合とは区別することができるので、ドライブ用の広告情報を、自動車でドライブ中のユーザのみに提供することができる。
【００６０】
なお、携帯電話機６０とカーナビゲーション装置５０との接続は、通信ケーブルによる有線接続に限定されず、例えば、ＩｒＤＡ（Infrared Data Association）やBluetooth（登録商標）等の近距離無線通信による無線接続であってもよい。また、携帯電話機６０が接続される車載装置は、カーナビゲーション装置５０ではなく、車両４０内において携帯電話機６０の充電を行う車載用充電器であってもよい。
【００６１】
＜変形例２＞
上述した実施形態では、携帯電話機６０がカーナビゲーション装置５０に接続されている場合について説明したが、携帯電話機６０は、カーナビゲーション装置５０に接続されず、単に車両４０内に持ち込まれ、車両４０とともに移動する形態であってもよい。この場合、携帯電話機６０は、カーナビゲーション装置５０内のＧＰＳ受信機から得られる位置情報の代わりに、例えば、当該携帯電話機６０が在圏している無線セルのＩＤ（基地局ＩＤ）や住所を位置情報として用いることができる。また、携帯電話機６０にＧＰＳ受信機が内蔵されている場合には、当該ＧＰＳ受信機によって取得された緯度経度情報を位置情報として用いることができる。
【００６２】
＜変形例３＞
携帯電話機６０の移動速度の検出方法は、上述した実施形態において説明した方法に限定されるものではない。例えば、携帯電話機６０に速度センサを備え、当該速度センサによって検出された移動速度を、携帯電話機６０が移動速度検出装置３４や広告配信サーバ１０に通知する構成であってもよい。
【００６３】
＜変形例４＞
広告配信サーバ１０は、移動パケット通信網３０内に設けられてもよい。また、移動速度検出装置３４の機能を広告配信サーバ１０が有する構成であってもよい。すなわち、広告配信サーバ１０は、無線セルＤＢ３０５と移動速度ＤＢ３０６とをさらに有し、会員登録ＤＢ１０５に登録されている各会員の所持する携帯電話機６０について、移動速度を検出し、高速移動中であるか否かを判定する構成であってもよい。
【００６４】
＜変形例５＞
上述した実施形態では、予め定められた閾値を超える速度で移動している携帯電話機６０へ広告情報を配信するようにしたが、移動速度の上限を示す閾値と、移動速度の下限を示す閾値とを設け、広告配信サーバ１０は、上限および下限を示す２つの閾値によって定まる範囲内の速度で移動している携帯電話機６０へ広告情報を配信するようにしてもよい。
【００６５】
また、図１１に示すように、歩行者用、サイクリング用、一般道路ドライブ用、高速道路ドライブ用、新幹線移動用等、各広告情報を異なる移動速度の範囲に応じて複数のカテゴリに分類して広告情報蓄積装置１０７に蓄積しておき、広告配信サーバ１０は、移動速度検出装置３４によって検出された携帯電話機６０の移動速度に応じたカテゴリ内の広告情報を提供するようにしてもよい。勿論、携帯電話機６０の移動速度を検出する機能が広告配信サーバ１０に備わっていてもよい。
【００６６】
＜変形例６＞
上述した実施形態では、配信エリア情報と対応付けられた広告情報を広告情報蓄積装置１０７に蓄積する構成とした。しかしながら、例えば、広告対象となる店舗の位置を示す位置情報と対応付けられた広告情報を広告情報蓄積装置１０７に蓄積しておき、広告配信サーバ１０は、携帯電話機６０の現在位置と、各広告情報に対応付けられている位置とを比較し、両者の距離が予め定められた閾値（例えば、１０ｋｍ）以下となる広告情報を広告情報蓄積装置１０７から読み出して携帯電話機６０へ配信する構成であってもよい。
【００６７】
＜変形例７＞
上述した実施形態では、広告提供者が広告情報の通信料金を負担する場合について説明したが、広告情報の通信料金は、広告情報の提供を受けたユーザの負担であってもよい。また、広告提供者と、広告情報の提供を受けるユーザとの間で、例えば、広告提供者が７割、ユーザが３割等、広告情報の通信料金を所定の割合で折半する構成であってもよい。また、コンテンツ送信装置（広告配信サーバ１０）は、広告や宣伝を目的とした情報以外のコンテンツを携帯電話機６０に対して提供してもよい。
【００６８】
＜変形例８＞
上述した実施形態において、携帯電話機６０の代わりに、移動パケット通信網３０を介してパケット通信を行うことが可能な無線通信機能を有するＰＤＡやモバイルコンピュータ等を用いてもよい。勿論、カーナビゲーション装置５０が移動局であってもよい。また、移動パケット通信網３０の代わりに、ＰＨＳ（Personal Handyphone System：登録商標）網や公衆無線ＬＡＮを用いた通信システムに本発明を適用することもできる。
【図面の簡単な説明】
【００６９】
【図１】本発明の実施形態に係る通信システム１の構成を例示するブロック図である。
【図２】同実施形態に係るＨＬＲ３５ａのデータ構成を例示する図である。
【図３】同実施形態に係る広告配信サーバ１０のハードウェア構成を例示するブロック図である。
【図４】同実施形態に係る会員登録ＤＢ１０５のデータ構成を例示する図である。
【図５】同実施形態に係る課金先管理ＤＢ１０６のデータ構成を例示する図である。
【図６】同実施形態に係る広告情報蓄積装置１０７のデータ構成を例示する図である。
【図７】同実施形態に係る移動速度検出装置３４のハードウェア構成を例示するブロック図である。
【図８】同実施形態に係る無線セルＤＢ３０５のデータ構成を例示する図である。
【図９】同実施形態に係る移動速度ＤＢ３０６のデータ構成を例示する図である。
【図１０】同実施形態に係る通信システム１の各部の動作を例示するシーケンスチャートである。
【図１１】本発明の変形例５に係る広告情報蓄積装置１０７のデータ構成を例示する図である。
【符号の説明】
【００７０】
１…通信システム、１０…広告配信サーバ、２０…インターネット、３０…移動パケット通信網、３１…ゲートウェイサーバ、３２…コアネットワーク、３３…基地局、３４…移動速度検出装置、３５…サービス制御局、３５ａ…ＨＬＲ（ホームロケーションレジスタ）、４０…車両、５０…カーナビゲーション装置、６０…携帯電話機、１０１…ＣＰＵ、１０２…ＲＯＭ、１０３…ＲＡＭ、１０４…通信インタフェース、１０５…会員登録ＤＢ、１０６…課金先管理ＤＢ、１０７…広告情報蓄積装置、３０１…ＣＰＵ、３０２…ＲＯＭ、３０３…ＲＡＭ、３０４…通信インタフェース、３０５…無線セルＤＢ、３０６…移動速度ＤＢ。
【図１】
2005151224.tif 000003
【図２】
2005151224.tif 000004
【図３】
2005151224.tif 000005
【図４】
2005151224.tif 000006
【図５】
2005151224.tif 000007
【図６】
2005151224.tif 000008
【図７】
2005151224.tif 000009
【図８】
2005151224.tif 000010
【図９】
2005151224.tif 000011
【図１０】
2005151224.tif 000012
【図１１】
2005151224.tif 000013